(57)【要約】【課題】、マンションのベランダやビルの屋上に何人も容易に設置し、舞い降りる鳥類を完全に忌避できかつベランダ等の景観を損なわない鳥類忌避ネットを提供することを目的とすること。【解決手段】弾性を有し、適当な間隔をおいて配置される複数の横紐１７と、弾性を有し、適当な間隔をおいて配置される複数の縦紐１８により編成されるネット１２と、横紐１７と縦紐１８の交点に取り付けられる磁石１６と、ネット１２を建造物に取り付ける係止部材１４とからなり、各紐には光触媒加工によるコーティングを施した鳥類忌避ネット１０。【選択図】図３
2012075386.tif 000002
【特許請求の範囲】
【請求項１】
弾性を有し、適当な間隔をおいて配置される複数の横紐と、弾性を有し、当該横紐に交差しつつ適当な間隔をおいて配置される複数の縦紐により編成されるネットと、前記横紐と前記縦紐の交点に取り付けられる磁石と、前記ネットを建造物に取り付ける係止部材とからなる鳥類忌避ネット。
【請求項２】
前記横紐と前記縦紐のいずれか一方又は双方に光触媒加工によるコーティングを施したことを特徴とする請求項１に記載の鳥類忌避ネット。
【請求項３】
前記磁石は、互いに引き合うＮ極とＳ極の部材で構成され、各部材の内側には前記横紐と前記縦紐の交点近傍を挟持可能な溝部が形成されていることを特徴とする請求項１から２のいずれか１に記載の鳥類忌避ネット。
【請求項４】
前記係止部材は、建造物の壁面に固定可能な定着部と前記ネットの紐又は網目に係止する連結部からなるものであることを特徴とする請求項１から３のいずれか１に記載の鳥類忌避ネット。
【請求項５】
前記横紐及び前記縦紐の各紐により形成される網目の大きさが約２０〜３０ｍｍの範囲であることを特徴とする請求項１から４のいずれか１に記載の鳥類忌避ネット。
【請求項６】
前記磁石の強度が１０００ガウス〜１５００ガウスの範囲であることを特徴とする請求項１から５のいずれか１に記載の鳥類忌避ネット。
【請求項７】
前記係止部材は、前記連結部の先端に伸縮可能部材を備えたものであることを特徴とする請求項１から６のいずれか１に記載の鳥類忌避ネット。
【発明の詳細な説明】
【技術分野】
【０００１】
本発明は鳥類、例えば、鳩等が建造物などに飛来するのを防止する鳥類忌避ネットに関する。
【背景技術】
【０００２】
マンションのベランダ等が奮で汚されないように鳥類の飛来を防止する装置として、本願の出願人は、実願平５−６５４３０を出願している。これは、図９に示すように、支柱と、該支柱の上部に揺動自在に取り付けたアームとからなり、前記アームの両端に磁気体を設けたことを特徴とするもので、鳥類は磁気を嫌うため、本装置をベランダ等に設置すれば効率的に侵入することを防止でき、また磁気に鈍感な鳥類が万が一磁気体やアーム上に止まろうとしても、アームが揺動くので驚いて逃げるという優れた効果を有するものである。
【０００３】
しかし、前記した鳥類忌避装置は、いずれも専門施工業者の作業によらなければ、ビルの屋上やマンションのベランダに設置することはできない。また、設置後は特殊な構造ゆえに建造物の中で目立ってしまう。特に、永年の使用によれば支柱やアームが汚れ、ビルやマンションの景観を損なう面もあるといくつかの問題点を有していた。
【特許文献１】特開２００６−１８０７２２号公報
【発明の開示】
【発明が解決しようとする課題】
【０００４】
本発明はマンションのベランダやビルの屋上に何人も容易に設置し、舞い降りる鳥類を完全に忌避することができ、かつ永年の使用によっても汚れ難いことで、マンションやビルの景観を損なわない鳥類忌避ネットを提供することを目的とする。
【課題を解決するための手段】
【０００５】
上記課題を解決するために、請求項１に記載の本発明は、弾性を有し、適当な間隔をおいて配置される複数の横紐と、弾性を有し、当該横紐に交差しつつ適当な間隔をおいて配置される複数の縦紐により編成されるネットと、前記横紐と前記縦紐の交点に取り付けられる磁石と、前記ネットを建造物に取り付ける係止部材とからなる鳥類忌避ネットであることを特徴とする。また、請求項２に記載の本発明は前記横紐と前記縦紐のいずれか一方又は双方に光触媒加工によるコーティングを施した請求項１に記載の鳥類忌避ネットであることを特徴とする。さらに、請求項３に記載の本発明は、前記磁石は、互いに引き合うＮ極とＳ極の部材で構成され、各部材の内側には前記横紐と前記縦紐の交点近傍を挟持可能な溝部が形成されている請求項１から２のいずれか１に記載の鳥類忌避ネットであることを特徴とする。くわえて、請求項４に記載の本発明は、前記係止部材は、建造物の壁面に固定可能な定着部と前記ネットの紐又は網目に係止する連結部からなるものである請求項１から３のいずれか１に記載の鳥類忌避ネットであることを特徴とする。
【０００６】
そして、本発明では、横紐及び前記縦紐の各紐により形成される網目の大きさが約２０〜３０ｍｍの範囲であることが好ましい。また、前記磁石の強度が１０００ガウス〜１５００ガウスの範囲であることが好ましい。さらに、前記係止部材は、前記連結部の先端に伸縮可能部材を備えたものであることが好ましい。
【発明の効果】
【０００７】
本発明に係る鳥類忌避ネットによれば、専門施工業者の作業によることがなく、ビルの屋上やマンションのベランダに設置することはでき、鳥類、例えば、鳩等が建造物などに飛来すること及び侵入することを効率的に防止できる。また、設置後も建造物の中で目立つことがなく、永年の使用によってもビルやマンションの景観を損なうことがない。
【発明を実施するための最良の形態】
【０００８】
以下、本発明の好ましい実施形態を図面により詳細に説明する。図１において、（ａ）は、本発明に係る第１鳥類忌避ネット１０における第１ネット１２を示す正面図、（ｂ）は、第１係止部材１４を示す斜視図、（ｃ）は、磁石１６を示す分解斜視図である。図２において、（ａ）は、第１鳥類忌避ネット１０を取り付けた状態を示す正面図、（ｂ）は、その部分拡大図である。図３は、第１鳥類忌避ネット１０の使用状態を示す説明図である。図４において（ａ）及び（ｂ）は、第１鳥類忌避ネット１０を建造物へ取り付けた状態を示す説明図である。
【０００９】
第１鳥類忌避ネット１０は、第１ネット１２、第１係止部材１４、磁石１６とからなるもので、何人もマンションのべランダ等の建造物に容易に設置し、鳩等の鳥類を忌避できるものである。
【００１０】
第１ネット１２は、弾性を有する複数の横紐１７とこの横紐に交差する複数の縦紐１８から編成されるもので、例えば、高圧電線等に使用される丈夫な特殊樹脂材であるポリエチレンやステンレスを主素材とする線材からなる。
【００１１】
第１ネット１２の編成は、例えば、太さ約０．８ｍｍの程度の紐を使用し、約２５ｍｍ程度の間隔で複数の紐を並列して横紐１７とし、次に、同様の間隔で複数の紐を並列して、双方を約９０度で交差させて、縦紐１８とする。そして、一方の紐に対し、他方の紐を交点１９において順次締結して行けば良い。なお、横紐１７と縦紐１８の線径が同一であることは必ずしも必要ない。
【００１２】
したがって、第１ネット１２の網目２０は、例えば、約２５ｍｍ平方程度となるが、これは鳩等が誤って首を入れても容易に自力で抜くことができる大きさである。また、前記したように紐の太さが０．８ｍｍ程度であることは、これは後記する光触媒加工によるコーティングと相俟って建造物に設置されると目立たなくなる線径であるが、一方では鳩等により切断されることがない頑丈性を備えた線径でもあることを意味する。
【００１３】
各紐には、例えば、二酸化チタンを使用した光触媒加工によるコーティング（図示せず。）が予め施されている。この光触媒加工は、一般に種々の細菌類・毒素・有害な物質をクリーンな水と炭酸ガスに分解する自浄作用があると言われ、第１ネット１２を常に清潔に保つことができるばかりか（消臭、除菌、抗菌作用）、ネット表面に付着する汚れを防止して永年の使用によっても第１ネット１２が大きく目立つことはない。
【００１４】
第１係止部材１４は、全体が、例えば、ステンレス等の金属素材により形成され、底部には平滑な偏平板である定着部２２を有している。この定着部２２は、例えば、強力接着剤を使用して平らな壁面に取り付ける場合には、第１係止部材１４が１ｋｇの耐荷重量を有することができる程度の大きさである。
【００１５】
また、第１係止部材１４は、先端がやや細くなると共に、例えば、カール状に折れ曲がって連結部２４を形成している。この連結部２４にいくつかの編目２０挿通する、あるいはいくつかの紐の先端を輪状に形成してひっかける等、係止することにより第１ネット１２を引っ張ることができる。
【００１６】
なお、第１係止部材１４の先端形状は、図示のカール状に限られるものではなく、要は紐の先端や網目を引っ張れるようなものであれば良い。例えば、後記第２鳥類忌避ネット３０で使用する第３係止部材５２のように先端がやや細くなりつつ、約１２０度に折れ曲がってフック部を形成し、さらにフック部の中央に連結穴を形成した形状を採用しても良い。この場合には、専門業者のてによることなく、一般人であっても紐を連結し易く、第１ネット１２の設置作業が極めて容易になる。
【００１７】
磁石１６は、例えば、プラスチックマグネットを素材とし、第１ネット１２に十分な耐久性をもって取り付けることができるもので、Ｎ極とＳ極の半球体２６、２７からなり、互いに引き合い組み合わされるといわゆる磁球体をなす。この磁球体は、約１３００ガウス程度の強さを有する。
【００１８】
また、各半球体２６．２７の内側面（切断面）には、横紐と縦紐を挿入できる十字形状で、かつ中心では略四角形をなす溝部２８が形成されて双方のネットの交点を挿入することができる。よって、各半球体を組み合わせて第１ネット１２を挟持すれば、磁石１６を第１ネット１２に取り付けることができる。
【００１９】
このような第１鳥類忌避ネット１０を使用するには、第１に、第１係止部材１４を設置しようとするマンションのベランダに強力接着剤を使用し、約２５ｃｍ間隔を目安として横方向と縦方向に取り付けて行く。この際、マンションのべランダ等の壁面塗装はドライバーやカッター等で削る、また、接着された第１係止部材１４をガムテープで１日程度仮止して翌日はがす等、の作業を加えると第１係止部材１４を壁面に確実に固定できる。なお、十分な強度を保つため各コーナー近傍には横方向及び縦方向のいずれの壁面にも第１係止部材１４を取り付ける。
【００２０】
第２に、第１ネット１２を所定の大きさに切断し、上下両側４方向の端部をそれぞれ内側に折り返し、折り返し部分の網目２０に第１係止部材１４のフックを引っ掛けて行く。この際、第１ネット１２が弛まないように、網目２０に引っ掛けた後のフックをさらにペンチ等で丸める又は接着剤をつけてハンマー等でつぶすようにすると良い。
【００２１】
第３に、最初の磁石１６を１の角部におおいて壁面から１２ｃｍの網目２０に取り付ける。この際、Ｎ極とＳ極の半球体２６、２７を組み合わせ、溝部２８で第１ネット１２の交点（十字部分）を挟持しつつ、さらに両半球体の内面を接着剤で固定すると良い。次に、最初の磁石１６を基本として、例えば、約２５ｃｍ間隔で第１ネット１２の全体に磁石１６を固定して行く。
【００２２】
この第１鳥類忌避ネット１０がマンションのベランダ等に設置されると、鳩等が飛来しても、磁気が及ぶ範囲で鳥本来の持っている生物磁気に影響し、磁気を感じてショックを受けたように驚き、反転して飛び去る。仮に、鳩等が第１ネット１２に接触した場合には、第１ネット１２は揺動し、取り付けられた磁石１６は前後左右に揺れるので、その磁気の及ぶ範囲（一般には磁石１６から２５ｃｍの範囲と言われる。）が拡大され、鳩等をさらに驚かすことができる。
【００２３】
また、永年の使用によっても、光触媒加工によるコーティングが施された第１鳥類忌避ネット１０は汚れることがなく、また、紐の太さが０．８ｍｍ程度であることも相俟って、マンションのべランダ等に設置されても遠くからはほとんど見えない状態となる。
【００２４】
図５において、（ａ）は、本発明に係る第２鳥類忌避ネット３０における第２係止部材３４を示す斜視図、（ｂ）は、第３係止部材５２を示す斜視図である。である。図６において、（ａ）は、第２係止部材３４を使用して第２鳥類忌避ネット３０を取り付けた状態を示す正面図、（ｂ）は、その部分拡大図である。図７において、（ａ）は、第３係止部材５２を使用して第２鳥類忌避ネット３０を取り付けた状態を示す正面図、（ｂ）は、その部分拡大図である。図８は、第２係止部材３４を取り付けた第２鳥類忌避ネット３０の使用状態を示す説明図である。
【００２５】
第２鳥類忌避ネット３０は、第２ネット３２、第２係止部材３４（又は第３係止部材？）、磁石１６とからなるもので、何人もマンションのべランダ等に容易に設置できるものである。
【００２６】
第２ネット３２は、例えば、弾性を有する複数の横紐と約９０度で交差する複数の縦紐を編成してなり、基本的なネットの素材、網目、光触媒加工が施される点等は、第１ネット１２と同一であるから、ここでは説明を省略する。
【００２７】
この第２ネット３２においては、上下両側４方向の端部近傍に、例えば、線径２ｍｍ〜５ｍｍ程度で、好ましくは３ｍｍの太い補助紐３３がさらに取り付けられる。補助紐３３は、編成された基本的なネットを所定の大きさに切断し、上下両側方向の端部を内側に折り返し、折り返し部分の網目４０に補助紐３３を交互に挿通して取り付けられる。なお、補助紐３３の素材は前記横紐等と同様である。
【００２８】
第２係止部材３４は、先端がカール状に折れ曲がる連結部４４と偏平な円形板の定着部４２を備えるが、これらは第１係止部材１４と同様であるからここでは説明を省略する。
【００２９】
また、この第２係止部材３４における連結部４４の先端には伸縮可能部材として、例えば、コイルばね４６が取り付けられる。したがって、この第２係止部材３４に取り付けられる補助紐３３は大きく揺動することができる。
【００３０】
さらに、第２鳥類忌避ネット３０においては、先端がやや細くなりつつ、約１２０度に折れ曲がってフック部５４を形成し、さらにフック部５４の中央に連結穴５６を形成した第３係止部材５２を採用しても良い。この場合に一般人であっても紐を連結し易く、第２ネット３２の設置作業が極めて容易になる。
【００３１】
磁石１６は、互いに引き合うＮ極とＳ極の半球体からなり、各半球体の内側（切断面）には、十字状と円形の溝部が形成されて第２ネット３２を挟持することができるもので、第１鳥類忌避ネット１０における磁石１６と同様であるからここでは説明を省略する。
【００３２】
このような第２鳥類忌避ネッ３０トを使用するには、第１に、第２係止部材３４又は第３係止部材５２を設置しようとするマンションのベランダ等の壁面において上下両側４方向角部に強力接着剤等を使用して取り付ける。また、残りの壁面には、第１係止部材１４（もちろん第２係止部材３４又は第３係止部材５２であっても良い。）から約２５ｃｍ間隔を目安として強力接着剤等を使用して取り付ける。それらの係止部材を壁面にさらなる強度をもって取り付ける方法は、第１鳥類忌避ネット１０と同様である。
【００３３】
第２に、横紐と縦紐で編成された基本的なネットを所定の大きさに切断し、上下両側方向の端部を内側に折り返し、折り返し部分の網目４０に補助紐３３を交互に挿通する。
【００３４】
第３に、補助紐３３を第２係止部材３４又は第３係止部材５２の先端に十分な張力をもって取り付ける。また、４方向角部以外の第２ネット３２は、第１鳥類忌避ネット１０と同様の方法でいくつかの網目等を引っ掛けて行く。
【００３５】
第４に、磁石１６を第１鳥類忌避ネット１０と同様の方法で取り付ける。
【００３６】
この第２鳥類忌避ネット３０がマンションのベランダ等に設置されると、鳩等は磁気を感じてショックを受けたように驚き、反転して飛び去るのは第１鳥類忌避ネット１０と同様である。さらに、鳩等が第２ネット３２に少しでも接触すると、伸縮性を有する第２ネット３２は前後左右に大きく揺動するので、取り付けられた磁石１６も大きく揺動し、その磁気の及ぶ範囲（一般には磁石１６から２５ｃｍの範囲と言われる。）がさらに拡大され、鳩等をさらに驚かすことができる。
【００３７】
また、第２鳥類忌避ネット３０は、永年の使用によっても汚れることがなく、マンションのべランダ等に設置されても遠くからはほとんど見えない状態となる、鳩等が誤って首を挿入しても十分に抜くことができる大きさの網目であること等は、第１鳥類忌避ネット１０と同様である。
【００３８】
以上、本発明の実施形態のいくつかについて説明したが、本発明は、上記した実施形態に限定されることなく、均等の範囲内で種々の変形が可能である。
【００３９】
例えば、第１ネット１２及び第２ネット３２における横紐と縦紐は約９０度で交差させているが、その角度に限定はなく、約６０度で交差させて第１紐、第２紐、さらに第３紐等を加えて各ネットを編成しても良い。
【００４０】
また、第１係止部材１４及び第２係止部材３４は定着部２２と連結部２４により構成されるが、要はネットをマンションの壁面等に容易かつ確実に固定できるものであれば良く、その形状や固定方法に限定はない。
【図面の簡単な説明】
【００４１】
【図１】（ａ）は、本発明に係る第１鳥類忌避ネット１０における第１ネット１２を示す正面図、（ｂ）は、第１係止部材１４を示す斜視図、（ｃ）は、磁石１６を示す分解斜視図である。
【図２】（ａ）は、第１鳥類忌避ネット１０を取り付けた状態を示す正面図、（ｂ）は、その部分拡大図である。
【図３】第１鳥類忌避ネット１０の使用状態を示す説明図である。
【図４】第１鳥類忌避ネット１０を建造物へ取り付けた状態を示す説明図である。
【図５】本発明に係る第２鳥類忌避ネット３０における第２係止部材３４を示す斜視図である。
【図６】（ａ）は、第２係止部材３４を使用して第２鳥類忌避ネット３０を取り付けた状態を示す正面図、（ｂ）は、その部分拡大図である。
【図７】（ａ）は、第３係止部材５２を使用して第２鳥類忌避ネット３０を取り付けた状態を示す正面図、（ｂ）は、その部分拡大図である。
【図８】第２係止部材３４を取り付けた第２鳥類忌避ネット３０の使用状態を示す説明図である。
【図９】従来の鳥類忌避ネット３０の使用状態を示す説明図である。
【符号の説明】
【００４２】
１０  第１鳥類忌避ネット
１２  第１ネット
１４  第１係止部材
１６  磁石
１７  横紐
１８  縦紐
１９  交点
２０  網目
２２  定着部
２４  連結部
２６  半球体
２７  半球体
２８  溝部
３０  第２鳥類忌避ネット
３２  第２ネット
３４  第２係止部材
３３  補助紐
４０  網目
４４  連結部
４６  コイルばね
５２  第３係止部材
５４  フック部
５６  連結穴
【図１】
2012075386.tif 000003
【図２】
2012075386.tif 000004
【図３】
2012075386.tif 000005
【図４】
2012075386.tif 000006
【図５】
2012075386.tif 000007
【図６】
2012075386.tif 000008
【図７】
2012075386.tif 000009
【図８】
2012075386.tif 000010
【図９】
2012075386.tif 000011